【手続補正書】
【提出日】平成18年1月4日(2006.1.4)
【手続補正１】
【補正対象書類名】明細書
【補正対象項目名】００２１
【補正方法】変更
【補正の内容】
【００２１】
また高速道路指定モードでは、ユーザが指定した高速道路に属する最寄りの１つの入口を検索するようにしたり、或いは指定された高速道路に属する入口を最寄りの方から複数個検索し、検索された複数の入口の一つをユーザに選択可能としても良い。行先方面指定モードでは、ユーザが指定した行先方面に適合する高速道路に属し、かつユーザが指定した行先方面に適合する最寄りの高速道路入口を１つ検索するようにしたり、ユーザが指定した行先方面に適合する或る１つの高速道路に属し、かつユーザが指定した行先方面に適合する高速道路入口を最寄りの方から複数個検索し（この際、自車の現在位置から見て行先方面とは反対側の入口は最大１個しか検索しないようにしても良い）、検索された複数の入口の一つをユーザに選択可能としたり、ユーザが指定した行先方面に適合する高速道路に属し、かつユーザが指定した行先方面に適合する高速道路入口を、複数の高速道路別に、各々最寄りのものを１個検索するかまたは最寄りの方から複数個検索し（この際、自車の現在位置から見て行先方面とは反対側の入口は１つの高速道路当たり最大１個しか検索しないようにしても良い）、検索された複数の入口の一つをユーザに選択可能としても良い。
【手続補正２】
【補正対象書類名】明細書
【補正対象項目名】００２６
【補正方法】変更
【補正の内容】
【００２６】
描画部１１は、経路探索部７により現在位置から高速道路入口までの最適経路（＝誘導経路）が探索されると、一定時間（例えば、１０秒）だけ図１１に示す如く、当該最適経路の全体が画面に表示されるように、広域の地図画像を、太く強調した誘導経路（図１１の符号Ｗ参照）、進路変更の有る経由地交差点マーク（図１１の符号Ｑ）、高速道路入口マーク（図１１の符号ＩＭ）、現在位置マークとともに描画する。図１１において、Ｇ１  、Ｇ２  、Ｇ３  は一般道路、Ｈは高速道路、Ｉは高速道路入口、ＣＰ２  、ＣＰ５  は誘導経路上の進路変更の有る経由地交差点の例である。
【手続補正３】
【補正対象書類名】明細書
【補正対象項目名】００２７
【補正方法】変更
【補正の内容】
【００２７】
各種情報画像生成部９は、各種情報画像を画像メモリ部１２の第２画像記憶領域１２ｂに描画したとき合成部１３に画像合成を指示する。合成部１３は画像合成が指示されていないときは第１画像記憶領域１２ａに記憶された地図画像を単独で映像信号に変換して表示部３へ出力し、地図画像を画面３ａに表示させる（図２参照）。反対に、画像合成が指示されているときは、第１画像記憶領域１２ａに記憶された地図画像の上の一部に第２画像記憶領域１２ｂに記憶された情報画像を重ねながら（第１画像記憶領域１２ａの地図画像のうち、第２画像記憶領域１２ｂで各種情報画像が描画されたピクセル位置の範囲を当該情報画像で置き換える）、映像信号に変換して表示部３へ出力し、地図画像に各種情報画像を重ねた画像を画面３ａに表示させる（図１２参照）。
【手続補正４】
【補正対象書類名】明細書
【補正対象項目名】００２８
【補正方法】変更
【補正の内容】
【００２８】
１４は交差点進路案内部であり、経路誘導モードオン時、経路データ記憶部８に記憶された誘導経路データと現在位置を照合して、誘導経路上で次に進路変更すべき経由地交差点までの距離が一定以下になると、道路データから次に進路変更すべき経由地交差点の形状データを読みだすとともに現在位置から次に進路変更すべき経由地交差点までの距離を計算し、各種情報画像生成部９に次に進路変更すべき経由地交差点の形状データと該次に進路変更すべき経由地交差点での進路データと距離データとを出力し、当該次に進路変更すべき経由地交差点の拡大画像を進路マーク及び距離とともに描画させ、音声案内モードオンであれば更に、音声合成部１５に指示して「○○ｍ先の交差点を左折して下さい」の如く音声を合成出力させる。１６は音声信号を電力増幅するアンプ部、１７はアンプ部１６の出力で駆動されるスピーカである。
【手続補正５】
【補正対象書類名】明細書
【補正対象項目名】００５２
【補正方法】変更
【補正の内容】
【００５２】
検索が成功した場合（ステップＳ４０３ＣでＹＥＳ）、高速道路入口検索部６は検索した入口別に、属性情報と距離情報を含む入口情報を距離の近い方から番号順にリストにしたリスト情報を各種情報画像生成部９へ出力し、各種情報画像生成部９は入口情報リスト画像を第２画像記憶領域１２ｂに描画し、合成部１３に合成指示して画面に表示させる（ステップＳ４０４Ｃ、Ｓ４０５Ｃ。図２０の符号ＩＧ３参照）。あとは図１５の場合と同様にして、ユーザが所望の高速道路の高速道路入口を１つ選択すれば最適経路探索、誘導経路全長表示、経路誘導が自動で行われる（ステップＳ４０６Ｃ〜Ｓ４１０、図３のステップＳ８０）。
リストに所望の高速道路の入口がないとき、操作部５でキャンセル操作すれば本体２０はリストを消去後（ステップＳ４０６Ｃ、ステップＳ４１１Ｃ）、図３のステップＳ８０に戻る。
【手続補正６】
【補正対象書類名】明細書
【補正対象項目名】００５８
【補正方法】変更
【補正の内容】
【００５８】
（４ｂ）最寄りの方から最大Ｎ個の入口を検索（図４、図５、図２３、図１８参照）
高速道路指定モードによる高速道路入口検索・経路誘導移行処理（ステップＳ５０）として、ユーザが指定した高速道路の入口を最寄りの方から複数検索させることも可能である。この場合は、図２１を図２３に代え、所望の高速道路が指定されたあとの高速道路入口検索では、現在位置から所定の検索範囲内（図７（ｂ）参照）で、ユーザが指定した高速道路に属する高速道路入口を最寄りの方から最大Ｎ個（Ｎは２以上の整数）検索する（ステップＳ５０４Ａ）。
【手続補正７】
【補正対象書類名】明細書
【補正対象項目名】００７０
【補正方法】変更
【補正の内容】
【００７０】
（５ｄ）高速道路別に、各々最寄りの方から最大Ｎ個入口を検索（図２８、図２０参照）
行先方面指定モードによる高速道路入口検索・経路誘導移行処理（ステップＳ６０）として、ユーザが指定した行先方面に適合する１または複数の高速道路について、高速道路別に、各々最寄りの方からＮ個入口を検索させることも可能である。この場合は、図２４を図２８に代え、行先方面が指定されたあとの高速道路入口検索では、現在位置から所定の検索範囲内（図７（ｂ）参照）で、ユーザの指定した行先方面に適合する１または複数の高速道路に属し、かつ指定された行先方面に適合する入口について、高速道路別に、各々最寄りの方から最大Ｎ個（Ｎは２以上の整数）入口を検索する（ステップＳ６０４Ｃ）。
【手続補正８】
【補正対象書類名】明細書
【補正対象項目名】００７４
【補正方法】変更
【補正の内容】
【００７４】
ユーザは、リストを見て所望の高速道路・行先方面の組を指定することができ、２番であれば操作部５で「２」を選択すると、高速道路入口検索部６はリストの２番目の高速道路に属し、リストの２番目の行先方面に適合する高速道路入口であって、現在位置から所定の検索範囲内で最寄りの高速道路入口を１つ検索する（ステップＳ７０４）。
【手続補正９】
【補正対象書類名】明細書
【補正対象項目名】００７７
【補正方法】変更
【補正の内容】
【００７７】
（６ｂ）最寄りの方から最大Ｎ個の入口を検索（図３１、図１９参照）
高速道路・行先方面指定モードによる高速道路入口検索・経路誘導移行処理（ステップＳ７０）として、ユーザが指定した高速道路に属し、ユーザが指定した・行先方面に適合する高速道路入口を、最寄りの方から最大Ｎ個検索させることも可能である。この場合は、図２８を図３１に代え、高速道路・行先方面が指定されたあとの高速道路入口検索では、指定された高速道路に属し、かつ指定された行先方面に適合する高速道路入口を、現在位置から所定の検索範囲内で最寄りの方から合計で最大Ｎ個（Ｎは２以上の整数）検索する（ステップＳ７０４Ａ）。